(57)【要約】【課題】釣人がジグを自在に操ることができ且つ釣人の体力的負担が小さいジギング用釣竿の提供。【解決手段】この釣竿１０は、釣竿本体１１と、スライダ１６と、運動変換機構１３とを備える。釣竿１０は釣用リール１４を保持する。スライダ１６は、釣竿本体１１の長手方向にスライドする。運動変換機構１３は、スライダ１６の往復スライド運動を釣用リール１４の回転運動に変換する。運動変換機構１３はクランクからなる。運動変換機構１３は連接板２２を有する。連接板２２は、スライダ１６と釣用リール１４の回転中心軸２４とに連結されている。【選択図】図１
2009278947.tif 000002
【特許請求の範囲】
【請求項１】
釣竿本体と、釣用リールが装着されるリールシートとを有する釣竿であって、
釣竿本体の長手方向に沿って往復移動可能なスライダと、
スライダに連結され、スライダの往復運動に基づいてリールシートに装着された釣用リールを駆動させる運動変換機構とを備えた釣竿。  
【請求項２】
上記運動変換機構はクランクである請求項１に記載の釣竿。
【請求項３】
上記スライダは、上記釣竿本体に外嵌され、当該釣竿本体の長手方向に沿ってスライド自在な筒状部材からなり、
上記運動変換機構は、上記釣用リールのスプール又はローターを駆動する主軸に接続される連接部材からなる請求項１又は２に係る釣竿。
【発明の詳細な説明】
【技術分野】
【０００１】
本発明は、釣竿、特にジギング用として構成された釣竿の構造に関するものである。
【背景技術】
【０００２】
いわゆるソルトウォータフィッシングのジャンルに「ジギング」と称されるものがある。ジギングは、釣人がロッド及びリールを使用してジグをジャーキングすることによって、水中でベイトフィッシュのようにアクションするジグに対してターゲットのバイトを誘う釣りである（例えば非特許文献１参照）。具体的には、釣人は、たとえばジグを海底まで沈下させた後に、ロッドを上下に煽りながらリールを回転させ、ジグをジャーク操作する。このため、一般にジギングは釣人の体力的負担がきわめて大きいと言われている。
【０００３】
【非特許文献１】２００８シマノフィッシングタックルカタログ（ｐ158〜ｐ160）
【発明の開示】
【発明が解決しようとする課題】
【０００４】
ジギングにおいて、ロッドに電動リールが装着されれば釣人の体力的負担の問題は解決される。しかし、釣人がロッド及びリールを駆使して自在にジグを操ることによってターゲットのバイトを誘うことがジギングの醍醐味であるから、単調なリーリングを余儀なくされる電動リールが使用されると、ジギングのおもしろさが激減する。
【０００５】
そこで、本発明の目的は、釣人がジグを自在に操ることができ且つ釣人の体力的負担が小さいジギング用の釣竿を提供することである。
【課題を解決するための手段】
【０００６】
上記目的が達成されるため、本発明に係る釣竿は、以下の構成を備える。
【０００７】
(1) 請求項１に係る発明の構成及び作用効果
【０００８】
請求項１に係る釣竿は、釣竿本体と、釣用リールが装着されるリールシートとを有する釣竿である。この釣竿は、釣竿本体の長手方向に沿って往復移動可能なスライダと、スライダに連結され、スライダの往復運動に基づいてリールシートに装着された釣用リールを駆動させる運動変換機構とを備える。
【０００９】
この釣竿は、例えばジギングに好適に使用される。釣人は、ジグをジャーキングする際に、釣竿を上下に煽りながらスライダを釣竿本体に沿って往復させる。これにより、釣用リールが駆動され、ジグが操作される。釣人は、スライダを往復させるという簡単な動作を行うことにより、体力的負担の大きい釣用リールを回転させるという動作を行うことなくジグをジャークすることができる。しかも、釣人がスライダの往復運動を調整することにより、ジグに容易に所望のアクションを起こさせることができる。
【００１０】
(2) 請求項２に係る発明の構成及び作用
【００１１】
請求項２に係る釣竿では、上記運動変換機構はクランクからなる。
【００１２】
この構成では、運動変換機構が簡単に構成されるという利点がある。
【００１３】
(3) 請求項３に係る発明の構成及び作用
【００１４】
請求項３に係る釣竿では、上記スライダは、上記釣竿本体に外嵌され、当該釣竿本体の長手方向に沿ってスライド自在な筒状部材からなる。また、上記運動変換機構は、上記釣用リールのスプール又はローターを駆動する主軸に接続される連接部材からなる。
【００１５】
この構成では、運動変換機構がきわめて簡単且つ安価に構成される。しかも、スライダは釣人が把持しやすい形状であるから、釣人にとってジグのジャーキングが一層簡単になる。
【発明を実施するための最良の形態】
【００１６】
以下、適宜図面が参照されつつ、好ましい実施形態に基づいて本発明が詳細に説明される。
【００１７】
図１は、本発明の一実施形態に係る釣竿の正面図である。また、図２、図３は、それぞれ、この釣竿の右側面図及び左側面図である。
【００１８】
この釣竿１０はジギングに好適に使用されるものであり、釣竿本体１１と、グリップ１２と、後に詳述される運動変換機構１３とを備えている。グリップ１２は、釣人が釣竿１０を把持する部分であると同時に、釣用リール１４が装着されるリールシート１８を兼ねている。本実施形態に係る釣竿１０の特徴とするところは、上記運動変換機構１３を備えている点であり、この運動変換機構１３は、釣人がリールハンドル１５を回転させなくとも、スライダ１６が矢印１７の方向に往復移動されるだけで釣用リール１４を駆動し、ラインを巻き取ることができるようになっている。
【００１９】
釣竿本体１１は、細長円筒状に形成されている。図示されていない複数の釣糸ガイドが釣竿本体１１の長手方向に沿って並設されている。本実施形態では釣竿本体１１はいわゆるワンピースからなるが、複数の部材から構成されていてもよい。釣竿本体１１は、既知の要領で構成される。例えば、カーボン繊維強化樹脂シート（プリプレグ）が所定形状に裁断され、これがマンドレルの周囲に巻回される。この状態でプリプレグが所定温度にて焼成され、マンドレルが引き抜かれることによって、円筒状の釣竿本体１１が形成される。
【００２０】
釣竿本体１１の後端部にグリップ１２が設けられている。このグリップ１２は、円筒状に形成されており、釣竿本体１１に嵌め込まれている。グリップ１２は、例えば樹脂により発泡成形され、釣人が握りやすい外径に設定されている。グリップ１２は、リールシート１８を備えており、前述のようにグリップ１２がリールシート１８を兼ねている。このリールシート１８は、一対のフード１９、２０を備えている。釣用リール１４の脚が一対のフード１９、２０に挟持されることによって、釣用リール１４が釣竿１０に固定されるようになっている。
【００２１】
なお、釣竿１０に装着される釣用リール１４は、両軸受タイプのものであっても良いし、スピニングタイプのものであってもよい。本実施形態では、釣用リール１４は両軸受タイプのものが採用されている。この釣用リール１４は、ケーシング２３を備えており、ケーシング２３にスプールが内蔵されている。スプールの回転中心軸２４（主軸）がケーシング２３の側面から突出しており、この回転中心軸２４にプロペラ２５が設けられている。すなわち、回転中心軸２４が回転するとプロペラ２５も回転するようになっている。スピニングタイプの釣用リールが装着される場合は、プロペラ２５はローターの駆動軸、すなわちメインギアの回転中心軸に設けられる。
【００２２】
運動変換機構１３は、リールシート１８の前方側（釣竿本体１１の先端側）に配置されたスライドベース２１と、このスライドベース２１に嵌め込まれた上記スライダ１６と、このスライダ１６に設けられた連接板２２（連接部材）とを備えている。
【００２３】
図４は、釣竿１０の要部拡大正面図である。同図は、スライドベース２１及びスライダ１６の構造を詳細に示している。図５は、図４におけるＶ−Ｖ断面図である。
【００２４】
図４が示すように、スライドベース２１は、全体的に円筒状に形成されており、基部２６及び支持部２７を備えている。このスライドベース２１は、典型的にはステンレススチール等の金属や樹脂から構成される。基部２６の外径は、支持部２７の外径よりも大きく設定されている。基部２６は漸次縮径され、支持部２７に連続しており、基部２６の外周面は、支持部２７の外周面に滑らかに連続している。スライドベース２１は、リールシート１８に当接するように配置されている。スライドベース２１の内径は釣竿本体１１の外径に対応されており、スライドベース２１は、がたつくことなく釣竿本体１１に嵌め込まれている。
【００２５】
スライダ１６は、典型的にはステンレススチール等の金属や樹脂から構成される。スライダ１６は、同図が示すように細長円筒状に形成されており、スライドベース２１の支持部２７に嵌め込まれている。スライダ１６の内径は支持部２７の外径に対応されており、両者間に所定のはめあいが設定されている。したがって、スライダ１６は、がたつくことなく支持部２７に嵌め合わされ、且つ滑らかに支持部２７の長手方向すなわち矢印１７の方向（釣竿本体の長手方向）に沿って往復移動することができる。なお、スライダ１６は、後述されるように釣人が把持する部材であるから、スライダ１６の外径は釣人が握りやすい寸法に設定される。
【００２６】
図４及び図５が示すように、スライダ１６の側方にブラケット２８が設けられている。このブラケット２８もスライダ１６と同様の材料からなる。ブラケット２８は、スライダ１６と一体的に形成されていてもよいが、別部材として構成され、スライダ１６に取り付けられていてもよい。ブラケット２８は、矩形平板状に形成されており、先端部に貫通孔２９が設けられている。この貫通孔２９の内面にネジが形成されている。図４が示すように、この貫通孔２９にプラグ３０がねじ込まれている。このプラグ３０は、いわゆるねじ込みボルトであって、軸部３１及びフランジ３２を備えている。軸部３１の一方側が上記貫通孔２９にねじ込まれ、フランジ３１がブラケット２８に当接することによって、プラグ３０がブラケット２８に位置決めされる。軸部３１の他端にねじ穴３３が設けられている。このねじ穴３３は、連接板２２を固定するためのものである。
【００２７】
図１ないし図３が示すように、連接板２２は細長矩形の平板からなり、図１が示すように屈曲されることによって構成されている。連接板２２の両端は、ピン３４、３５を介してそれぞれ釣用リール１４の上記プロペラ２５及び上記スライダ１６に設けられたブラケット２８に接続されている（図２参照）。具体的には、連接板２２の両端部に貫通孔が設けられており、ピン３４、３５がこの貫通孔に挿通され、上記プロペラ２５及び上記ブラケット２８に固定されている。連接板２２の他端側については、図４が示すように、プラグ３０がブラケット２８にねじ込まれた状態で、プラグ３０の軸部３１に連接板２２が挿通される。そして、ピン３５が上記軸部３１に設けられたねじ穴３３にねじ込まれる。連接板２２の一端側についても同様である。これにより、連接板２２は、ピン３４、３５の周りに回転自在な状態で上記プロペラ２５及び上記ブラケット２８に連結される。
【００２８】
このように運動変換機構１３が構成されることにより、スライダ１６の往復運動が上記プロペラ２５の回転運動に変換され、釣用リール１４が駆動される。すなわち、本実施形態では、運動変換機構１３はクランクからなる。
【００２９】
この釣竿１０は、例えばジギングに使用される。釣人は、ジグをジャーキングする際に、釣竿１０を上下に煽りながらスライダ１６を矢印１７の方向（図１及び図４参照）に沿って往復させる。これにより、釣用リール１４が駆動され、ジグが操作される。したがって、釣人は、ジグをジャークする際に釣用リール１４のリールハンドル１５を回転させる必要はない。つまり、釣人は、スライダ１６を往復させるという簡単な動作を行うことにより、体力的負担の大きい釣用リールの操作を行うことなくジャーキングすることができる。しかも、釣人は、両手でスライダ１６を操作することもできるから、ジャーキングがより簡単になる。加えて、釣人は、スライダ１６の往復運動を調整することにより、ジグに容易に所望のアクションを起こさせることもできる。
【００３０】
特に本実施形態では、上記運動変換機構１３がクランクからなるので、運動変換機構１３が簡単且つ安価に構成される。しかも、スライダ１６は釣人が把持しやすい円筒形状であるから、釣人にとってジャーキングが一層簡単で体力的負担が軽減される。
【００３１】
なお、本実施形態では、図１が示すように、釣竿１０に汎用の釣用リール１４が採用されており、リールハンドル１５と反対側にのみ連接板２２が配置されている。ただし、リールハンドル１５が省略され、上記連接板２２が釣用リールの両側に左右対称に配置されてもよい。また、本実施形態では、釣竿本体１１にスライドベース２１が設けられているが、スライドベース２１が省略されて、スライダ１６が釣竿本体１１に嵌め合わされていてもよい。
【産業上の利用可能性】
【００３２】
本発明は、釣竿に適用されうる。
【図面の簡単な説明】
【００３３】
【図１】図１は、本発明の一実施形態に係る釣竿の正面図である。
【図２】図２は、本発明の一実施形態に係る釣竿の右側面図である。
【図３】図３は、本発明の一実施形態に係る釣竿の左側面図である。
【図４】図４は、本発明の一実施形態に係る釣竿の要部拡大正面図である。
【図５】図５は、図４におけるＶ−Ｖ断面図である。
【符号の説明】
【００３４】
１０・・・釣竿
１１・・・釣竿本体
１３・・・運動変換機構
１４・・・釣用リール
１６・・・スライダ
１７・・・矢印
１８・・・リールシート
２１・・・スライドベース
２２・・・連接板
２４・・・回転中心軸
２８・・・ブラケット
２９・・・貫通孔
３０・・・プラグ
３１・・・軸部
３２・・・フランジ
３３・・・ねじ穴
３４・・・ピン
３５・・・ピン
【図１】
2009278947.tif 000003
【図２】
2009278947.tif 000004
【図３】
2009278947.tif 000005
【図４】
2009278947.tif 000006
【図５】
2009278947.tif 000007